(57)【要約】【課題】回転機械に取り付ける振動検出センサの数を１つにしても、回転軸の軌跡を表示できるようにする。【解決手段】回転軸５６を等方性支持した軸受５７に１つの加速度センサＳ１１を取り付け、回転軸５６が１回転する毎にパルス信号ｐを出力する回転数検出センサＳ２１を備える。データ処理部１１０では、加速度信号ａから振動変位信号を求め、振動変位信号を同期サンプリングして離散データを求め、離散データをＦＦＴして回転軸の振れ回り運動を示す式を求め、この式を基に回転軸の軸軌跡を表示する。【選択図】図１
2016090414.tif 000002
【特許請求の範囲】
【請求項１】
回転機械の回転軸の軸軌跡を表示する、回転機械の軸軌跡表示装置であって、
前記回転軸を等方性支持している軸受に設置されており、一方向の振動に対応する振動対応信号を出力する１つの振動検出センサと、
前記回転軸が１回転する毎に１つのパルス信号を出力する１つの回転数検出センサと、
データ処理装置とで構成されており、
前記データ処理装置は、
前記振動対応信号から、前記軸受の一方向の振動の時間変位を示す振動変位信号を求める積分機能部と、
前記パルス信号の周波数に比例したサンプリング周波数により、前記振動変位信号を同期サンプリングして、サンプリング数に応じた複数の離散データを得る同期サンプリング機能部と、
複数の前記離散データを高速フーリエ変換することにより、前記回転軸に生じる振れ回り運動を表す、フーリエ係数を用いた式を求める高速フーリエ変換機能部と、
前記式で描かれる軸軌跡を表示する表示機能部と、
を有していることを特徴とする回転機械の軸軌跡表示装置。
【請求項２】
請求項１において、
前記振動検出センサは加速度センサであり、前記振動対応信号は加速度信号であることを特徴とする回転機械の軸軌跡表示装置。
【請求項３】
請求項１において、
前記振動検出センサは速度センサであり、前記振動対応信号は速度信号であることを特徴とする回転機械の軸軌跡表示装置。
【請求項４】
請求項１において、
前記振動検出センサは振動センサであり、前記振動対応信号は振動変位信号であり、
前記データ処理装置は、前記同期サンプリング機能部と、前記高速フーリエ変換機能部と、前記表示機能部とにより構成されていることを特徴とする回転機械の軸軌跡表示装置。
【発明の詳細な説明】
【技術分野】
【０００１】
本発明は、回転機械に備えられている回転軸の軸軌跡を表示する軸軌跡表示装置に関するものであり、回転機械に取り付ける振動検出センサの数を１つにしても、回転機械の回転軸の軌跡を表示できるように工夫したものである。
【背景技術】
【０００２】
電力や鉄鋼や化学などのプラントにおける生産設備には、ポンプやブロアやコンプレッサーなどの多くの回転機械が使用されている。生産設備を効率よく維持・管理するために、予防保全を目的とした状態監視が、一部の機械に対して行われている。
このような状態監視においては、回転機械における回転軸の振動が、重要な監視項目になっている。回転機械の回転軸の振動を基に行う設備診断は、「簡易診断」と「精密診断」に分けられる。
【０００３】
簡易診断の目的は、回転機械の異常の早期発見である。このため簡易診断では、回転機械に振動センサを取り付け、この振動センサから出力される振動信号（振動の時間波形）から振動信号の実効値やオーバーオール値を求める。このようにして求めた実効値やオーバーオール値の推移を定期的に観察し、この実効値やオーバーオール値が、予め規定した値に近づいてきたら振動異常が生じてきたと判断している。
実効値やオーバーオール値を求める計測器は比較的安価である。
【０００４】
精密診断の目的は、回転機械で発生した異常の種類の同定（特定）である。このため精密診断では、回転機械に振動センサを取り付け、この振動センサから出力される振動信号をスペクトル解析装置に入力し、スペクトル解析して、発生した異常を同定していた。つまり、異常ごとに、発生する振動の周波数成分を予め特定しておき、スペクトル解析した各周波数成分の大きさを見て、この周波数成分に対応する異常が発生していると同定することができる。
スペクトル解析をするスペクトル解析装置は、一般的に、スペクトル解析をすることができるのみならず、他の解析も行うことができる計測機器であり、比較的高価である。
【０００５】
スペクトル解析を行わずに精密診断を行う手法の一つとして、回転機械の回転軸の軸軌跡を求め、この軸軌跡から回転機械の異常の種類を同定する手法がある。
例えば図７は、軸軌跡と異常の種類の関係を示したものであり、「ISO基準に基づく機械設備の状態監視と診断」に示されているものである。
図７においては、左側の列に異常の種類、中央の列に時間波形、右側の列に軸軌跡を表示している。
【０００６】
軸軌跡を求めるためには、振動センサを回転機械に取り付ける必要がある。図８（ａ），（ｂ）は、ISO 13373-1に示されている「振動センサの設置位置」を流用した図である。図８において、回転機械１０は回転軸１１を有している。そして回転機械１０のケーシング１２に振動センサＳ１，Ｓ２を備えている。振動センサＳ１と振動センサＳ２は、回転軸１１の回転軸心を中心とした円周上において、周方向に９０度ずれた位置に配置されている。
この例では、振動センサＳ１は、回転軸１１の軸心に直交す鉛直方向（Ｙ軸方向）の振動を計測し、振動センサＳ２は、回転軸１１の軸心に直交する水平方向（Ｘ軸方向）の振動を計測する。つまり円周上において９０度の位相差で配置された２つの振動センサＳ１，Ｓ２により、２方向の振動（この例では鉛直方向（Ｙ軸方向）と水平方向（Ｘ軸方向）の振動）を計測している。
更に、図示はしないが、回転軸１１が１回転する毎に１つのパルス信号を出力する、回転数検出センサも備えられている。
【０００７】
これら振動センサＳ１，Ｓ２の振動信号及び回転数検出センサのパルス信号を処理することにより、回転軸１１の軸軌跡を求めることができる。つまり、先ず回転数検出センサのパルス信号を基に回転軸１１が１回転する１周期を求める。そして、各周期において、振動センサＳ１の振動信号（時間波形）の振幅値をＹ軸上に、振動センサＳ２の振動信号（時間波形）の振幅値をＸ軸上に、順次プロットして行くことにより、回転軸１１の軸軌跡を求めることができる。図９は求めた軸軌跡（直角２方向の振動計測による軸軌跡）の一例である。
【０００８】
このようにして求めた回転軸１１の軸軌跡の形状を、図７に示す関係図と参照・比較することにより、回転機械１０に発生している異常の種類を同定することができる。
このようにすれば、スペクトル解析を行うことなく、簡便な手法により精密診断（異常の種類の同定）を実施することが可能となる。
なお、特許文献１（特開２０１２−５２５８）にも、同様な技術が開示されている。
【０００９】
したがって、開発機の検証試験などにおいて、図８に示すような手法を採用して軸軌跡を求め、この軸軌跡を観察することによって運転中の回転機械の状態を把握することができる。
また、このような軸軌跡による精密診断は、スペクトル解析よりも比較的早く異常を検知することができるため、自励振動のような急激に振幅が大きくなる現象にも容易に対応することができる。
【００１０】
なお、回転機械の回転軸の振動は、一般的に振れ回り運動となる。そして回転方向と同方向の振れ回り運動を「前向き」の振れ回り運動、回転方向と逆方向の振れ回り運動を「後向き」の振れ回り運動と呼ぶ。
回転機械の多くは、不釣合いによって回転軸が前向きで加振され、振れ回り運動は前向きの振れ回り運動となる。しかし、滑り軸受など軸剛性に異方性がある回転機械では、前向きの加振に後向きの加振が加わり、振れ回り運動は前向きの振れ回り運動と後向きの振れ回り運動とが合成される結果、軸軌跡は楕円になる。
【先行技術文献】
【特許文献】
【００１１】
【特許文献１】特開２０１２−５２８２号公報
【発明の概要】
【発明が解決しようとする課題】
【００１２】
軸軌跡による精密診断を行うためには、図８に示すように２方向の振動を計測するため、２つの振動センサが必要である。
しかし、生産設備で実際に使用されている多くの回転機械には振動センサは設置されていない。一部の重要機器には各軸受付近で２方向の振動センサによる状態監視が行われているが、その周辺の準重要機器では回転数検出と加速度計による１方向のみの振動計測による簡易診断を行っている場合が多い。
【００１３】
軸軌跡による精密診断を行うために、振動センサを新たに設置する場合は、振動センサ設置のための費用がかかる。更に、軸受部の追加工や配線の敷設などの付随する費用が多くなる。このため対象機械が多い場合には、振動センサを新設したり追加したりすると莫大な費用が掛かる。
【００１４】
本発明は、上記従来技術に鑑み、回転機械に取り付ける振動検出センサを１個にしても、回転機械の軸軌跡を求めることができる、回転機械の軸軌跡表示装置を提供することを目的とする。
【課題を解決するための手段】
【００１５】
上記課題を解決する本発明は、
回転機械の回転軸の軸軌跡を表示する、回転機械の軸軌跡表示装置であって、
前記回転軸を等方性支持している軸受に設置されており、一方向の振動に対応する振動対応信号を出力する１つの振動検出センサと、
前記回転軸が１回転する毎に１つのパルス信号を出力する１つの回転数検出センサと、
データ処理装置とで構成されており、
前記データ処理装置は、
前記振動対応信号から、前記軸受の一方向の振動の時間変位を示す振動変位信号を求める積分機能部と、
前記パルス信号の周波数に比例したサンプリング周波数により、前記振動変位信号を同期サンプリングして、サンプリング数に応じた複数の離散データを得る同期サンプリング機能部と、
複数の前記離散データを高速フーリエ変換することにより、前記回転軸に生じる振れ回り運動を表す、フーリエ係数を用いた式を求める高速フーリエ変換機能部と、
前記式で描かれる軸軌跡を表示する表示機能部と、
を有していることを特徴とする。
【００１６】
また本発明は、
前記振動検出センサは加速度センサであり、前記振動対応信号は加速度信号であること、
または、前記振動検出センサは速度センサであり、前記振動対応信号は速度信号であることを特徴とする。
【００１７】
また本発明は、
前記振動検出センサは振動センサであり、前記振動対応信号は振動変位信号であり、
前記データ処理装置は、前記同期サンプリング機能部と、前記高速フーリエ変換機能部と、前記表示機能部とにより構成されていることを特徴とする。
【発明の効果】
【００１８】
本発明によれば、転がり軸受などにより等方性支持された回転軸を有する回転機械、つまり、回転軸に発生する振れ回り運動が前向きの振れ回り運動となる回転機械において、１つの振動検出センサを回転軸の軸受に設置するだけで、軸軌跡を表示することができる。
このため、必要となるセンサ数を削減でき、精密診断をすることができると共に、回転機械の異常原因を推定することが可能になる。
【図面の簡単な説明】
【００１９】
【図１】本発明の実施例１に係る回転機械の軸軌跡表示装置を示す構成図。
【図２】実施例１の軸軌跡表示装置のうちデータ処理装置を示すブロック図。
【図３】振動変位信号とパルス信号を示す特性図。
【図４】振動変位信号を同期サンプリングして得た離散データを示す特性図。
【図５】離散データを高速フーリエ変換した結果を示す特性図。
【図６】１方向の振動計測による軸軌跡を示す図。
【図７】軸軌跡と異常の種類の関係を示す関係図。
【図８】従来の振動センサの配置状態を示す構成図。
【図９】直角２方向の振動計測による軸軌跡を示す図。
【発明を実施するための形態】
【００２０】
以下、本発明に係る軸軌跡表示装置を、実施例に基づき詳細に説明する。
本発明を適用する回転機械は、転がり軸受などにより等方性支持された回転軸を有する回転機械、つまり、回転軸に発生する振れ回り運動が前向きの振れ回り運動となる回転機械である。
なお、本発明は、滑り軸受のように異方性支持された回転軸を有する回転機械には適用しない。異方性支持された回転軸を有する場合には、加振力が前向きであっても、後向き振れ回り運動が僅かに励起されるため、本発明の手法によっては軸軌跡を求めることができないからである。
【００２１】
〔実施例１〕
本発明の実施例１に係る回転機械の軸軌跡表示装置を、図１及び図２を参照して説明する。図１は、計測対象機器５０と軸軌跡表示装置１００とを全体的に示す構成図であり、図２は、軸軌跡表示装置１００のうちデータ処理装置１１０を示すブロック図である。
【００２２】
図１に示すように、計測対象機器５０は、駆動機５１により回転機械５５を稼働させるものである。回転機械５５の回転軸５６は、転がり軸受である軸受５７，５７により支持されている。このため回転軸５６は等方性支持され、回転軸５６に振れ回り運動が発生した場合には、振れ回り運動は前向きの振れ回り運動となる。
【００２３】
軸軌跡表示装置１００は、データ処理装置１１０と、加速度センサＳ１１と、回転数検出センサＳ２１により構成されている。
【００２４】
加速度センサＳ１１は、回転機械５５の一方の軸受５７に設置されており、軸受５７（回転軸５６）の一方向の振動によって生ずる一方向の加速度を検出して加速度信号ａを出力してデータ処理装置１１０に送る。
ここで「一方向」とは、回転軸５６の回転軸心を直交して貫く直線が伸びる方向である。例えば、回転軸心を直交して貫く鉛直方向や、回転軸心を直交して貫く水平方向である。
【００２５】
回転数検出センサＳ２１は、回転軸５６が１回転する毎に１つのパルス信号ｐを出力してデータ処理装置１１０に送る。
【００２６】
データ処理装置１１０では、加速度信号ａとパルス信号ｐが入力されると、各処理機能部が次のようなデータ処理をすることにより、回転軸５６の軸軌跡を求める。各処理機能部は、プラグラムによりデータ処理をするものであり、コンピュータとソフトウエアとにより構成できるものである。なお各処理機能部をハードウエアのみで構成することも可能である。
【００２７】
データ処理装置１１０の積分機能部１２０は、加速度信号ａを２回積分して振動変位信号ｑを求める。振動変位信号ｑは、軸受５７（回転軸５６）の一方向の振動の時間変位を示すものである。
図３は、振動変位信号ｑとパルス信号ｐを示す。なお図３において、横軸は時間、縦軸は振幅を示している。
【００２８】
Ａ／Ｄ（analog to digital）変換機能部１３０は、振動変位信号ｑとパルス信号ｐをＡ／Ｄ変換する。
【００２９】
同期サンプリング機能部１４０は、ディジタル化された振動変位信号ｑを同期サンプリングする。つまり回転軸５６が１回転ごとに１つ出力されるパルス信号ｐの周波数に比例した（回転軸５６の回転数に比例した）サンプリング周波数で、振動変位信号ｑをサンプリングする。
したがって、回転数が遅い時はサンプリング周波数は低くなり、回転数が速くなればそれに比例してサンプリング周波数は高くなる。換言すれば、パルス信号ｐの１周期（先行するパルス信号ｐと後行するパルス信号ｐとの間の周期）の時間が変化しても、パルス信号ｐの１周期あたりのサンプリング数Ｎを同一にして、振動変位信号ｑのサンプリングをしている。
図４は、１回転当たりのサンプリング数Ｎ＝１６として振動変位信号ｑを同期サンプリングした結果である。即ち図４は、振動変位信号ｑを同期サンプリングして得た離散データｑ−１〜ｑ−１６を表している。
【００３０】
高速フーリエ変換機能部１５０は、同期サンプリングして得た離散データｑ−１〜ｑ−１６を高速フーリエ変換（ＦＦＴ：first Fourier transform）する。
図５は、離散データｑ−１〜ｑ−１６を、高速フーリエ変換（ＦＦＴ：first Fourier transform）した結果を示している。図５は等比FFTで、横軸が回転次数（回転数の整数倍）、縦軸が振幅を表していて、次数比分析と呼ばれる。
【００３１】
図５の回転n次に対応する複素フーリエ係数は次式で表すことができる。
Ｆn＝ｃn−ｊｓn              ・・・（１）
ただし、ｃnは回転n次のcos成分の係数、ｓnは回転n次のsin成分の係数、jは虚数単位である。
【００３２】
もし、回転ｎ次の振動波形がcos波の場合、式(1)の複素フーリエ係数はＦn＝ｃnである。回転ｎ次の振動波形がsin波（90度の位相遅れ）の場合、式(1)の複素フーリエ係数はＦn＝−ｊｓnである。このｃn，ｓnの値で回転n次の振動波形の振幅と位相を表すことができる。
【００３３】
そして、位相の基準はFFTの時間基準（時間・・・0）であり、等比FFTではパルス信号ｐに同期したサンプリング（図４）を行い、パルス信号ｐの間が窓時間となる。よって、パルス信号ｐがFFTの時間基準であり、式(1)の位相基準となる。
【００３４】
一方、図９に示す回転軸の振れまわり運動は、振動計測および回転パルス計測を+Ｘ方向から行った場合、Ｘ軸を実部、Ｙ軸を虚部とした複素平面上の軌跡として考えることができる。
【００３５】
ここで、転がり軸受で支持された回転機械は、軸受剛性が等方性であると仮定する。通常発生する不釣合い（機械的アンバランス、ミスアライメントなど）は前向き加振力であるため、等方性支持された回転軸は前向きのみの振れまわり運動となる。この振れまわり運動は式(1)のフーリエ係数を用いて次式で表すことができる。
【００３６】
【数１】
2016090414.tif 000003
【００３７】
なお上記の式において、ｍはＮ／2.56以下で最大の整数とした理由は、通常のＦＥＴ処理では折り返し誤差を防ぐために最大周波数がＮ／2.56となっているためであり、これより高周波側はアンチエイリアシングフィルターでゲインを小さくしているので考慮する必要はない。
【００３８】
表示機能部１６０は、式（２）で描かれる軸軌跡を表示する機能部である。図６は、式（２）で描かれた軸軌跡（１方向の振動計測による軸軌跡）である。
図６は、1方向の振動計測で描いた軸軌跡であるにもかかわらず、図９に示す２方向の振動計測で描いた軸軌跡を完全に再現できていることが分かる。従って、図６の軸軌跡を用いることで精密診断を行うことが可能となった。
【００３９】
〔実施例２〕
実施例１では加速度センサＳ１１を用いたが、その代わりに速度センサを用いることもできる。この場合には、積分機能部１２０では、速度信号を１回積分して振動変位信号ｑを求める。
他の部分の構成は、実施例１と同様である。
【００４０】
〔実施例３〕
実施例１では加速度センサＳ１１を用いたが、その代わりに振動センサを用いることもできる。この場合には、振動センサから振動変位信号ｑが得られるのでで、データ処理装置１１０は、積分機能部１２０は不要であり、Ａ／Ｄ変換機能部１３０、同期サンプリング機能部１４０、高速フーリエ変換機能部１５０、表示機能部１６０により構成すればよい。
他の部分の構成は、実施例１と同様である。
【符号の説明】
【００４１】
１０  回転機械
１１  回転軸
１２  ケーシング
５０  計測対象機器
５１  駆動機
５５  回転機械
５６  回転軸
５７  軸受
１００  軸軌跡表示装置
１１０  データ処理装置
１２０  積分機能部
１３０  Ａ／Ｄ変換機能部
１４０  同期サンプリング機能部
１５０  高速フーリエ変換機能部
１６０  表示機能部
Ｓ１，Ｓ２  振動センサ
Ｓ１１  加速度センサ
Ｓ２１  回転数検出センサ
ａ  加速度信号
ｐ  パルス信号
ｑ  振動変位信号
ｑ−１〜ｑ−１６  離散データ
【図１】
2016090414.tif 000004
【図２】
2016090414.tif 000005
【図３】
2016090414.tif 000006
【図４】
2016090414.tif 000007
【図５】
2016090414.tif 000008
【図６】
2016090414.tif 000009
【図７】
2016090414.tif 000010
【図８】
2016090414.tif 000011
【図９】
2016090414.tif 000012